(57)【要約】      （修正有）【課題】ユーザがその時々で効率良く録画番組から見たい番組を見つける事を可能とする録画番組一覧表示装置、録画番組一覧表示方法、および録画番組一覧表示プログラムを提供する。【解決手段】受信部が録画対象となる番組の内容を定めた番組項目を含む番組情報を受信した場合に、受信した番組項目と履歴番組項目とが一致しているか否かを判定し、番組項目と履歴番組項目とが一致していると判定した場合には、ユーザに推薦すべき番組であると判定し、番組情報の中からその番組を抽出する管理部と、番組項目と履歴番組項目とが一致する数に基づいて、ユーザに番組を推薦する程度の大きさを示す推薦度を求め、番組項目と履歴番組項目とが一致する項目の中で重み付け情報に定められた重要度の最も高い項目を推薦度で推薦される番組の推薦理由として定める。【選択図】図９
2013229655.tif 000002
【特許請求の範囲】
【請求項１】
録画または視聴された番組の履歴を示す番組履歴情報と、前記番組履歴情報に含まれる番組の内容を定めた履歴番組項目の重要度を前記履歴番組項目ごとに定めた重み付け情報とを記憶する記憶部と、
受信部が録画対象となる番組の内容を定めた番組項目を含む番組情報を受信した場合に、受信した前記番組項目と前記履歴番組項目とが一致しているか否かを判定し、前記番組項目と前記履歴番組項目とが一致していると判定した場合には、ユーザに推薦すべき番組であると判定し、前記番組情報の中からその番組を抽出する管理部と、
前記番組項目と前記履歴番組項目とが一致する数に基づいて、前記ユーザに番組を推薦する程度の大きさを示す推薦度を求め、前記番組項目と前記履歴番組項目とが一致する項目の中で前記重み付け情報に定められた重要度の最も高い項目を前記推薦度で推薦される番組の推薦理由として定める推薦計算部と、
前記番組履歴情報に含まれる番組のうち、前記推薦度または前記推薦理由をキーとして、前記ユーザに推薦すべき番組をフィルタリングして表示部に表示させる表示処理部と、
を備えることを特徴とする録画番組一覧表示装置。
【請求項２】
前記表示処理部は、前記ユーザに推薦すべき番組と前記推薦度と前記推薦理由とを、前記ユーザに推薦すべき番組を最下位の階層とし、前記推薦度または前記推薦理由を番組の上位階層としてフォルダ形式で分類して表示部に表示させる、
ことを特徴とする請求項１に記載の録画番組一覧表示装置。
【請求項３】
前記推薦計算部は、前記推薦度に応じて前記番組を所定のレベルに分類し、
前記表示処理部は、前記表示部に表示した前記推薦度を示すフォルダの選択を受け付けた場合には、さらに前記分類されたレベルを示す分類フォルダを前記表示部に表示させ、いずれかの前記分類フォルダの選択を受け付けた場合には、その分類フォルダに分類された番組を選択して表示させる、
ことを特徴とする請求項２に記載の録画番組一覧表示装置。
【請求項４】
前記推薦計算部は、前記推薦理由に応じて前記番組を分類し、
前記表示処理部は、前記表示部に表示した前記推薦理由を示すフォルダの選択を受け付けた場合には、さらに前記分類された分類フォルダを前記表示部に表示させ、いずれかの前記分類フォルダの選択を受け付けた場合には、その分類フォルダに分類された番組を選択して表示させる、
ことを特徴とする請求項２に記載の録画番組一覧表示装置。
【請求項５】
前記表示処理部は、前記推薦度に応じて前記番組をフィルタリングするための推薦度フィルタを表示させ、前記推薦度フィルタにおいていずれかの推薦度の選択を受け付けた場合には、選択された推薦度をキーとして、前記ユーザに推薦すべき番組をフィルタリングして表示させる、
ことを特徴とする請求項１に記載の録画番組一覧表示装置。
【請求項６】
前記表示処理部は、前記推薦度の大きさに応じて前記番組をソートしてその結果を前記表示部に表示し、または前記推薦理由の内容に応じて前記番組をソートしてその結果を前記表示部に表示する、
ことを特徴とする請求項１〜５のいずれか１項に記載の録画番組一覧表示装置。
【請求項７】
録画または視聴された番組の履歴を示す番組履歴情報と、前記番組履歴情報に含まれる番組の内容を定めた履歴番組項目の重要度を前記履歴番組項目ごとに定めた重み付け情報とを記憶する記憶部を有した録画番組一覧表示装置で行われる録画番組一覧表示方法であって、
受信部が録画対象となる番組の内容を定めた番組項目を含む番組情報を受信する受信ステップと、
受信した前記番組項目と前記履歴番組項目とが一致しているか否かを判定し、前記番組項目と前記履歴番組項目とが一致していると判定した場合には、ユーザに推薦すべき番組であると判定し、前記番組情報の中からその番組を抽出する管理ステップと、
前記番組項目と前記履歴番組項目とが一致する数に基づいて、前記ユーザに番組を推薦する程度の大きさを示す推薦度を求め、前記番組項目と前記履歴番組項目とが一致する項目の中で前記重み付け情報に定められた重要度の最も高い項目を前記推薦度で推薦される番組の推薦理由として定める推薦計算ステップと、
前記番組履歴情報に含まれる番組のうち、前記推薦度または前記推薦理由をキーとして、前記ユーザに推薦すべき番組をフィルタリングして表示部に表示させる表示処理ステップと、
を含むことを特徴とする録画番組一覧表示方法。
【請求項８】
録画または視聴された番組の履歴を示す番組履歴情報と、前記番組履歴情報に含まれる番組の内容を定めた履歴番組項目の重要度を前記履歴番組項目ごとに定めた重み付け情報とを記憶する記憶部を有したコンピュータに、
受信部が録画対象となる番組の内容を定めた番組項目を含む番組情報を受信する受信ステップと、
受信した前記番組項目と前記履歴番組項目とが一致しているか否かを判定し、前記番組項目と前記履歴番組項目とが一致していると判定した場合には、ユーザに推薦すべき番組であると判定し、前記番組情報の中からその番組を抽出する管理ステップと、
前記番組項目と前記履歴番組項目とが一致する数に基づいて、前記ユーザに番組を推薦する程度の大きさを示す推薦度を求め、前記番組項目と前記履歴番組項目とが一致する項目の中で前記重み付け情報に定められた重要度の最も高い項目を前記推薦度で推薦される番組の推薦理由として定める推薦計算ステップと、
前記番組履歴情報に含まれる番組のうち、前記推薦度または前記推薦理由をキーとして、前記ユーザに推薦すべき番組をフィルタリングして表示部に表示させる表示処理ステップと、
を実行させることを特徴とする録画番組一覧表示プログラム。
【発明の詳細な説明】
【技術分野】
【０００１】
本発明は、放送波などの映像表示を行う装置における、情報処理装置や情報処理方法に関する。特に、録画された番組の一覧表示時において、ユーザが効率よく再生する番組を選択可能とする録画番組一覧表示装置、録画番組一覧表示方法、および録画番組一覧表示プログラムに関する。
【背景技術】
【０００２】
デジタル放送の多チャンネル化に伴い、ユーザが視聴する番組の選択肢が広がりつつある。例えば、首都圏の地上デジタル放送の場合、１週間で３０００を越える番組が放送されており、この中からユーザが見たい番組を見つけ出すのは非常に困難な作業である。この様な状況において、ユーザが見たい番組を見つけ出す方法には、番組表を用いる方法と、キーワード検索を用いる方法と、番組推薦機能を用いる方法などが挙げられる。
【０００３】
番組表は、ラテ欄に代表されるように放送局および時間帯ごとで番組一覧を表示するものである。番組表を用いた場合、ユーザがいつも見ている既知の番組を探し出すには非常に有効な手段であるが、未知の番組を探し出すには複数の放送局、時間、日付に跨ることになり、非常に困難な作業である。キーワード検索はユーザが指定したキーワードに合致した番組を表示する方法である。キーワード検索を用いた場合、ユーザがキーワードを的確に指示可能な場合においては番組を探し出すのに非常に有効な手段であるが、探したいキーワードが不明確若しくは未知である場合は検索結果が１件もない、若しくは大量の検索結果が出力され、番組を探し出すのが困難である。この様に、番組表およびキーワード検索は、ユーザの興味が明確である場合には効果を発揮するが、未知の中で見たい番組を探し出す場合には不適格である。
【０００４】
一方、番組推薦機能は、ユーザが視聴、録画、再生を行った番組の番組情報を用いてユーザの嗜好を分析し、ユーザの嗜好に合致した番組を推薦する機能である。番組推薦機能を用いた場合、ユーザが既知または未知の番組であっても、嗜好に合致した場合に推薦されるため、番組の見逃し防止や新しい番組を発見する事が可能である。番組推薦機能においては、ユーザが未知の番組を提示する場合もある為、例えば、推薦番組がユーザの嗜好に対してどれだけ合致しているかを表す推薦度や、なぜ推薦したかの理由をユーザへ提示することで、ユーザ利便性が向上する。この様に、番組を探す方法が複数存在することで、ユーザは状況に応じて効果的に番組を探すことが可能となる。
【０００５】
一方、デジタル放送対応の普及に伴い、ＨＤＤ（Hard  Disk  Drive）への番組録画機能を搭載した録画装置が普及している。番組の録画を行う方法は、番組表から手動で録画予約して録画する場合や、実際に視聴している番組を直接録画する場合が一般的であったが、ＨＤＤの大容量化に伴い、録画装置が自動的に番組を録画する機能も多種多様な装置に搭載されつつある。自動的に録画する機能においては、ユーザが明示的に同一番組を毎週録画する機能や、キーワード検索にヒットした番組を録画する機能、推薦番組を録画する機能など多岐に渡っている。このため、録画装置のＨＤＤにはユーザが既知の番組、未知の番組含め、大量の番組が録画されやすい状況となっており、ユーザは録画された番組から再生したい番組を探し出すのが困難な作業となる。この為、録画番組の一覧表示時において、大量の録画番組からユーザが見たい番組を選択しやすくする為の表示方法が必要となる。
【０００６】
録画番組の一覧表示方法に関する従来技術として、例えば、特許文献１には、録画番組をジャンルごとに分類されたフォルダで管理し、フォルダ内の録画番組が大量になった場合には、ＥＰＧ（Electronic  Program  Guide）で取得可能な番組の他の属性情報(サブジャンル、放送局、人名等)を用いて更に下位フォルダを生成、管理する技術が開示されている。
【先行技術文献】
【特許文献】
【０００７】
【特許文献１】特開２００７−３３４９８４号公報
【発明の概要】
【発明が解決しようとする課題】
【０００８】
上述した特許文献1では、番組表からの録画予約や毎週の自動録画など、ユーザが既知の番組を録画した場合には有効な一覧表示手段であるが、推薦番組の自動録画のようにユーザが未知の番組が自動録画された場合には、ユーザはどのジャンルに見たい番組があるか判断できない為、結果的に複数のジャンルフォルダを移動して見たい番組を探す事になり、効果を発揮しない。すなわち、ユーザはその時々で効率良く録画番組から見たい番組を見つける事ができないという問題があった。
【０００９】
本発明は、上記に鑑みてなされたものであって、ユーザがその時々で効率良く録画番組から見たい番組を見つける事を可能とする録画番組一覧表示装置、録画番組一覧表示方法、および録画番組一覧表示プログラムを提供することを目的とする。
【課題を解決するための手段】
【００１０】
上述した課題を解決し、目的を達成するために、本発明にかかる録画番組一覧表示装置は、録画または視聴された番組の履歴を示す番組履歴情報と、前記番組履歴情報に含まれる番組の内容を定めた履歴番組項目の重要度を前記履歴番組項目ごとに定めた重み付け情報とを記憶する記憶部と、受信部が録画対象となる番組の内容を定めた番組項目を含む番組情報を受信した場合に、受信した前記番組項目と前記履歴番組項目とが一致しているか否かを判定し、前記番組項目と前記履歴番組項目とが一致していると判定した場合には、ユーザに推薦すべき番組であると判定し、前記番組情報の中からその番組を抽出する管理部と、前記番組項目と前記履歴番組項目とが一致する数に基づいて、前記ユーザに番組を推薦する程度の大きさを示す推薦度を求め、前記番組項目と前記履歴番組項目とが一致する項目の中で前記重み付け情報に定められた重要度の最も高い項目を前記推薦度で推薦される番組の推薦理由として定める推薦計算部と、前記番組履歴情報に含まれる番組のうち、前記推薦度または前記推薦理由をキーとして、前記ユーザに推薦すべき番組をフィルタリングして表示部に表示させる表示処理部と、を備えることを特徴とする。
【００１１】
また、本発明は、上記録画番組一覧表示装置で行われる録画番組一覧表示方法、および録画番組一覧表示プログラムである。
【発明の効果】
【００１２】
本発明によれば、ユーザがその時々で効率良く録画番組から見たい番組を見つけることを可能とする録画番組一覧表示装置、録画番組一覧表示方法、および録画番組一覧表示プログラムを提供することができる。
【図面の簡単な説明】
【００１３】
【図１】本発明にかかる録画番組一覧表示装置を自動録画装置に適用した場合の構成を示す図である。
【図２Ａ】録画番組情報の構成例を示す図である。
【図２Ｂ】録画番組情報のレコードの構成例を示す図である。
【図３】履歴管理部が管理する履歴情報の一例である。
【図４】重み付け情報の例を示す図である。
【図５】評価値算出表の例を示す図である。
【図６】推薦結果情報の例を示す図である。
【図７】一覧表示処理部が、表示部に録画番組情報を一覧形式で表示する様子を示す図である。
【図８】一覧表示処理の処理手順を示すフローチャートである。
【図９】自動録画装置が一覧表示処理を行い、録画番組情報の一覧を表示部に表示されるまでの概念を示すイメージ図である。
【図１０】実施例２における推薦結果情報の例を示す図である。
【図１１】実施例２において、一覧表示処理部が、表示部に録画番組情報を一覧形式で表示する様子を示す図である。
【図１２】実施例３において、一覧表示処理部が、表示部に録画番組情報を一覧形式で表示する様子を示す図である。
【図１３】実施例４において、一覧表示処理部が、表示部に録画番組情報を一覧形式で表示する様子を示す図である。
【発明を実施するための形態】
【００１４】
以下に添付図面を参照して、本発明にかかる録画番組一覧表示装置、録画番組一覧表示方法、および録画番組一覧表示プログラムの実施の形態を詳細に説明する。なお、同一番号や同一符号は同様の機能を有するものとする。また、本発明が本明細書の実施形態に限定されないことは言うまでもない。まず、本実施形態の詳細について説明する前に、本実施形態における装置の概要について簡単に説明する。
【実施例１】
【００１５】
図1は、本発明にかかる録画番組一覧表示装置を自動録画装置に適用した場合の構成を示す図である。まず、図１に示す自動録画装置における構成と機能について説明する。
【００１６】
図１に示すように、自動録画装置２００は、一覧表示処理部１００と、ＣＰＵ２０１と、メモリ２０２と、ＨＤＤ２０３と、ネットワーク接続部２０４と、チューナ部２０６と、標準入出力部２０７と、デコーダ部２０８と、表示部２０９と、録画番組管理部２１１と、番組情報管理部２１２と、履歴管理部２１３と、番組推薦計算部２１４とを有し、これらが互いにバス２５０によって接続されている。また、自動録画装置２００は、チューナ部２０６に接続されたアンテナ部２０５を有し、ネットワーク接続部２０４がインターネット２５１に接続されている。さらに、一覧表示処理部１００は、番組情報処理部１５１と、推薦度処理部１５２と、推薦理由処理部１５３とを有して構成される。なお、ネットワーク２５１は、インターネット等の一般的なネットワークであり、自動録画装置２００が装置外から情報を取得する為の通信経路であり、自動録画装置２００がネットワーク２５１と接続することにより、様々な装置から様々な情報を取得することが可能となる。
【００１７】
ＣＰＵ２０１とメモリ２０２とＨＤＤ２０３は、自動録画装置２００のＯＳ（Operating  System）及びアプリケーションプログラムを動作させる。ＯＳ及びアプリケーションプログラムの種類には特に制限は無く、録画番組一覧表示装置２００をＰＣ（Personal  Computer）とする場合には、ＰＣ用のＯＳ及びアプリケーションを用いればよく、また、録画番組一覧表示装置２００をＴＶとする場合はＴＶ用のＯＳ及びアプリケーションを用いればよい。さらには、録画番組一覧表示装置２００をＨＤＤレコーダとする場合にはＨＤＤレコーダ用のＯＳ及びアプリケーションを用いれば良い。自動録画装置２００で実行されるプログラムは、上述した各部を含むモジュール構成となっており、実際のハードウェアとしてはＣＰＵがプログラムを読み出して実行することにより上記各部が主記憶装置上にロードされる。
【００１８】
なお、上述したプログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録されて提供したり、インターネット等のネットワークに接続されたコンピュータ上に格納し、ネットワーク経由でダウンロードさせることにより提供するように構成し、あるいはインターネット等のネットワーク経由で提供または配布するように構成しても良い。さらには、上述したプログラムを、ＲＯＭ等に予め組み込んで提供するように構成してもよい。
【００１９】
ネットワーク接続部２０４は、ネットワーク２５１に接続され、ネットワーク２５１へのデータ送受信を行う。アンテナ部２０５は、放送波を受信する為のアンテナ接続部であり、地上波放送やＢＳ放送などの信号線を接続する。チューナ部２０６は、アンテナ部２０５で受信した放送波から選局する対象となるチャンネルの映像や音声、ＥＰＧ（Electronic  Program  Guide）などのＳＩ（Service  Information）情報が多重化されたストリームを抽出する。
【００２０】
標準入出力部２０７は、ユーザからの操作を受け付ける。例えば、標準入出力部２０７は、自動録画装置２００がＤＴＶ（Digital TeleVision）やＨＤＤレコーダである場合はリモコン入力を受け付け、自動録画装置２００がＰＣ（Personal  Computer）である場合はキーボードやマウス入力を受け付ける。デコーダ部２０８は、チューナ部２０６が抽出したストリームや、ＨＤＤ２０３に録画された動画データの映像と音声をデコードする。
【００２１】
表示部２０９は、デコーダ部２０８によりデコードされた映像と音声を出力し、装置固有のメニューや録画番組の一覧を表示する。リモコン部２１０は、ユーザが自動録画装置２００を操作する装置であり、録画のためのメニュー表示や録画番組の一覧表示、チャンネル選局、動画再生などの操作をユーザから受け付ける。
【００２２】
録画番組管理部２１１は、自動録画装置２００において録画された番組の情報である録画番組情報および、録画した番組の動画データを管理する。録画番組管理部２１１は、チューナ部２０６が抽出したストリームから動画データを取得し、取得した動画データをＨＤＤ２０３に保存する。また、録画番組管理部２１１は、後述する番組情報管理部２１２から録画番組情報を取得し、取得した録画番組情報をＨＤＤ２０３に保存する。録画番組情報に含まれる各番組は、推薦結果情報（具体的には後述する。）が有する番組に対応付けられている。更に、録画番組管理部２１１は、録画番組の一覧を表示する際において、その時点で保存されている録画番組情報をＨＤＤ２０３から取得し、取得した録画番組情報を一覧表示処理部１００に出力する。また、録画番組管理部２１１は、録画番組再生時において、動画データをＨＤＤ２０３から取得し、取得した動画データをデコーダ部２０８に出力する。録画番組情報の構成は、例えば、図２Ａのように、その番組の内容を識別するための様々な項目を含むものとなっている。なお、以下では、録画された番組の情報と、これから録画される番組（例えば、今後１週間分の番組）の情報とを、それぞれ録画番組情報および将来番組情報と呼ぶこととする。将来番組情報も、録画番組情報と同様に、図２Ａに示す構成を有しており、これらの各情報は、図２Ｂに示すように、例えば、番組の数に応じてこれらの情報がレコードＲ３０１〜Ｒ３０５のような形式でＨＤＤ２０３に保持される。
【００２３】
図２Ａに示すように、録画番組情報および将来番組情報は、放送波の種類およびそのチャンネルと、番組のジャンルと、その番組が放送される日時（放送日、放送時間）と、その番組のタイトルおよびサブタイトルと、その番組の出演者と、パレンタルロックの有無を示す情報とが含まれている。図２Ａに示す例では、２０１２年１月１日の２１：００から２２：００までの間、地上波デジタル放送のチャンネル１で、日立ドラマの第一話が放送された（または放送される）ことを示している。また、この番組には、出演者１〜４が出演し、パレンタルロックにより視聴制限がかけられていないことを示している。なお、録画番組情報および将来番組情報は、番組の数だけ出力される。なお、本実施の形態では、履歴管理の容易性を考慮し、将来番組情報と録画番組情報とが同一の構成であるとして説明しているが、これらの情報を有しているものであれば特に同一の構成でなくてもよい。
【００２４】
具体的には後述するが、番組情報管理部２１２があらかじめ定められたタイミングで将来情報番組をストリームから抽出し、録画番組管理部２１１がユーザからの指示によってその将来情報番組に含まれる番組の視聴や録画をすると、履歴管理部２１３がその番組の履歴情報（後述）を取得する。さらに、番組推薦計算部２１４が、その履歴情報とその後抽出する将来番組情報とを比較して、そのユーザに推薦すべき番組を示す推薦結果情報（後述）を出力し、録画番組一覧処理部１００が、将来番組情報の中から推薦結果情報に合致する番組を表示部２０９に表示するので、ユーザに対して推薦すべき番組を表示部２０９に表示させることにより、ユーザは効率良く、録画された番組のなかから見たい番組を見つけることができる。
【００２５】
番組情報管理部２１２は、受信可能な放送波およびチャンネルの全ての番組およびその番組の将来番組情報を管理する。番組情報管理部２１２は、チューナ部２０６が受信したストリームから将来番組情報を抽出し、抽出した将来番組情報をＨＤＤ２０３に保存する。また、番組情報管理部２１２は、自動録画装置２００において、ラテ欄に代表されるように放送局および時間帯ごとで番組一覧を表示する番組表の表示や、キーワードにより自動録画する対象となる番組の検索、番組表の中からユーザの嗜好に合致する番組を推薦するための計算（以下、推薦番組計算と呼ぶ。）を行う場合において、図２Ａに示した将来番組情報をＨＤＤ２０３から取得し、履歴管理部２１３に出力する。なお、将来番組情報は、上述したように図２Ａに示した構成である必要はなく、上述した番組表の表示や、録画番組の一覧表示、キーワードにより自動録画する対象となる番組の検索、および番組推薦計算で必要となる情報が含まれていれば良い。また、番組情報管理部２１２は、番組推薦処理部２１４が行った番組の推薦番組計算の結果となる推薦結果情報を番組推薦処理部２１４から取得し、取得した推薦結果情報と将来番組情報とを対応付けてＨＤＤ２０３に保存するとともに、一覧表示処理部１００に出力する。
【００２６】
履歴管理部２１３は、動画の視聴、録画、再生履歴を含む履歴情報を管理する。履歴管理部２１３は、リモコン２１０がユーザから動画の視聴、録画、再生操作を受け付けた場合にその履歴情報を記録する。履歴管理部２１３は、視聴および録画時においては、番組情報管理部２１２が管理する将来番組情報を取得し、取得した将来番組情報とともにその履歴を対応付けてＨＤＤ２０３に記憶する。また、再生時においては、履歴管理部２１３は、番組情報管理部２１２が管理する録画番組情報を取得し、取得した録画番組情報とともにその履歴を対応付けてＨＤＤ２０３に記憶する。このように、履歴管理部２１３が録画番組情報や将来番組情報とともにその履歴（番組の視聴履歴、録画履歴、再生履歴）を一元管理する。
【００２７】
また、履歴管理部２１３は、ＨＤＤ２０３に保持した視聴履歴、録画履歴、再生履歴を、番組推薦処理部２１４に出力する。これらの各履歴情報には、視聴済み、録画済み、再生済み等の動作履歴が記憶されているが、例えば、番組全体の５０％以上の時間が経過している場合には、履歴管理部２１３はその番組を視聴済み、録画済み、再生済みとして記憶する。どの程度の時間が経過した場合に視聴済み、録画済み、再生済みとするかについては、その番組のジャンルや時間帯、シリーズものであるか否か等の様々なパターンで設定することができる。
【００２８】
図３は、履歴管理部２１３が管理する履歴情報の一例である。履歴情報として保持される各項目Ｃ１０１〜Ｃ１０９は、図２Ａに示した録画番組情報や将来番組情報が有する各項目と同様であるため、ここではその説明を省略する。履歴管理部２１３は、これらの各項目を、番組ごとに履歴形式でレコードＲ１０１〜Ｒ１０８のようにＨＤＤ２０３に記憶している。図３では特に示していないが、実際には、さらに履歴情報に動画データやその動画の視聴、録画、再生履歴の開始時刻や終了時刻等が対応付けて記憶されている。
【００２９】
番組推薦処理部２１４は、今後放送される将来の番組の中からユーザの嗜好に合致した番組を推薦する。番組推薦処理部２１４は、あらかじめ定められた計算方式を用いて推薦番組計算を行い、推薦結果情報を出力する。番組推薦処理部２１４は、ユーザからの指示時または、自動録画装置２００で予め設定されたタイミング（例えば、１日１回、週に１回等）で推薦番組計算を行う。
【００３０】
番組推薦処理部２１４は、推薦番組計算する場合、履歴管理部２１３から履歴情報を取得し、番組情報管理部２１２から将来番組情報を取得し、履歴情報と将来番組情報との距離を計算し、そのユーザの嗜好に合致した番組を推薦する。例えば、番組推薦処理部２１４は、録画番組情報および将来番組情報に含まれる各項目がどの程度一致するか否か（その程度の大きさ）を判定することにより、推薦する番組を決定する。これらの番組情報の各項目ごとにその内容の一致度を比較することにより、履歴情報と将来番組情報との間でより似通っているか否かを判断し、推薦すべき番組を選択することができる。
【００３１】
例えば、番組推薦処理部２１４は、図２Ａに示した将来番組情報に含まれる「放送波」、「チャンネル」、「ジャンル」、「放送日」、「放送時間」、「タイトル」、「サブタイトル」、「出演者」、「パレンタルロック」等の各項目と、図３に示した履歴情報が有する各項目のうちこれらの項目と同じ項目とを比較し、ある一定の数以上の項目が一致しているか等、両者がどの程度一致するか否かを判定し、一致する項目が多いほど、ユーザはその番組を視聴する嗜好性が高く、より積極的に強く推薦すべき番組であると判断する。
【００３２】
また、番組推薦処理部２１４は、将来番組情報と履歴情報との間で一致した項目について、ユーザが重要視する項目の優先順位を決定したり、またはその順序を変更することができるように、各項目の重要度を示す重み付け情報を用いて推薦番組計算をする。図４は、重み付け情報の例を示す図である。図４に示すように、重み付け情報は、チャンネルと、ジャンルと、放送時間と、タイトルと、出演者とが含まれている。これらの各項目Ｃ２０１〜Ｃ２０５は、図２Ａおよび図３に示した各項目と同様のものである。本実施の形態では、これらの５つの項目を重み付け情報として定めているが、さらに放送日等他の項目を設定してもよい。
【００３３】
図４では、重み付け情報含まれる項目の値（評価値）のうち、「タイトル」の評価値が「２０」と最も値が大きく、最もユーザの嗜好性を高く表す項目として設定され、一方、チャンネルや放送時間の評価値は「１」であり、ユーザの嗜好性を表す項目としては低く設定されている。本実施の形態ではタイトルの評価値を最もユーザの嗜好性を高く表す項目として設定しているが、もちろんユーザによって適宜変更することができる。
【００３４】
番組推薦処理部２１４は、将来番組情報と履歴情報とで各項目が一致した場合、その項目に対応する重み付け情報の項目示された評価値を項目ごとに順次加算する。例えば、番組推薦処理部２１４は、ある将来番組情報とある履歴情報とを比較して、「ジャンル」と「出演者」が一致した場合、図４に示した重み付け情報の各項目のうち「ジャンル」の評価値「２」および「出演者」の評価値「５」を取得し、その番組全体の評価値を「７」として算出する。この様な方法を用いて、番組推薦処理部２１４は、全履歴情報及び将来番組情報を対象として評価値を算出し、それぞれを加算することで、全ての将来番組情報における番組の評価値を算出する。そして、番組推薦処理部２１４は、算出された評価値の高い順に並べる事で、ユーザの嗜好に合致した番組を推薦する事ができる。
【００３５】
さらに、番組推薦処理部２１４は、将来番組情報と履歴情報とで一致する項目が繰り返し存在する場合、ユーザがその番組を視聴したり録画する頻度が高いと判定し、その数だけ評価値を乗算する。そして、番組推薦処理部２１４は、番組ごとに評価値を算出すると、番組ごとに評価値が算出された評価値算出表を出力する。
【００３６】
図５は、評価値算出表の例を示す図である。図５に示すように、評価値算出表は、番組のタイトルと、サブタイトルと、推薦度と、推薦理由と、その番組の評価値と、重み付け情報に含まれる計算対象となった各項目の評価値の合計とが対応付けて記憶されている。推薦度は、その番組を推薦する程度の強さや大きさを示す情報であり、推薦理由は、推薦度によって示された強さや大きさで番組を推薦するその理由を示す情報である。
【００３７】
図５に示す例では、番組推薦処理部２１４は、図２Ｂに示した将来番組情報を参照し、ジャンルが「ドラマ」である番組（レコードＲ３０１）を選択すると、そのジャンル「ドラマ」をキーとして図３に示した履歴情報を参照し、ジャンルが「ドラマ」である番組（レコードＲ１０１、Ｒ１０６）が２件存在すると判定する。さらに、番組推薦処理部２１４は、そのジャンル「ドラマ」をキーとして図４に示した重み付け情報とを参照し、ジャンルに対応する評価値「２」を取得し、タイトル「ドラマＡ」の番組の「ジャンル」項目の評価値を２件×２＝４として設定する。番組推薦処理部２１４は、これ以外の各項目も同様に計算し、計算した各項目の評価値を加算して番組全体の評価値を算出する。例えば、タイトル「ドラマＡ」の第二話についての評価値算出表は、図５に示したレコードＲ４０１の各項目Ｃ４０５〜Ｃ４１０のように設定され、番組ごとの評価値が算出される。図５に示す例では、番組推薦処理部２１４は、タイトル「ドラマＡ」の番組の評価値が「２６」であり、他のタイトルの番組に比べ、もっともユーザの嗜好に合致している番組であると判断する。
【００３８】
さらに、番組推薦処理部２１４は、各項目の評価値の中で最も高い値を示す項目を特定し、その評価値の高さに応じて、その番組の推薦度を設定する。例えば、番組の評価値の最大値が３０であり、評価値が１５〜３０（全体の半分程度）の番組は三つ星番組、評価値が８〜１５全体の１／４〜半分程度）の番組は二つ星番組、評価値０〜７（全体の１／４程度まで）の番組は一つ星番組として分類した場合、「ドラマＡ」の推薦度は三つ星に設定する。以下同様に、番組の評価値の値が大きいほど、その番組の推薦度を高く設定する。
【００３９】
そして、番組推薦処理部２１４は、番組の推薦度を設定すると、さらにその番組の推薦度を設定した理由（推薦理由）を設定する。番組推薦処理部２１４は、評価値算出表に出力された番組ごとに、その番組の評価値の中で最も高い評価値となった項目（即ちユーザの嗜好が最も反映されている項目）を特定し、その項目の名称を推薦理由として設定する。例えば、番組推薦処理部２１４は、タイトル「ドラマＡ」の番組については、「タイトル」の評価値が最も高いため、推薦理由に「よくみるタイトル」との文言を設定する。以下同様に、各番組ごとに最も高い評価値の項目の名称を推薦理由に設定する。このように、ある番組の評価値の最も高い項目の名称を推薦理由として設定することにより、番組推薦処理部２１４が、ユーザが興味のない番組を推薦した場合において、推薦理由を効果的にユーザに知らせることができ、ユーザはその推薦理由を見て納得することができる。
【００４０】
そして、番組推薦処理部２１４は、評価値算出表の中から、番組の推薦結果を示す推薦結果情報を出力する。図６は、推薦結果情報の例を示す図である。図６に示すように、推薦結果情報には、評価値算出表に含まれていた「タイトル」、「サブタイトル」、「推薦度」、「推薦理由」を抽出したものである。これらの各項目は評価値算出表の各項目と同様であるため、ここではその説明を省略する。番組推薦処理部２１４は、推薦結果情報を、将来番組情報に含まれる番組に対応付けてＨＤＤ２０３に記憶させる。後述するように、推薦結果情報は、番組の録画時や視聴時に一覧表示処理部１００が読み取って、表示部２０９に表示される。なお、番組推薦処理部２１４は、例えば、推薦結果情報に推薦度が無星から三つ星までの番組が存在する場合、例えば、二つ星以上の番組のみ自動録画する等、その星の数に応じて（すなわち推薦度のレベルに分類して）自動録画するか否かを定めることも可能である。また、推薦理由についても、例えば、よく見るジャンルの番組のみを自動録画することも可能である。
【００４１】
以上のように、上述した各部は自動録画装置２００がＤＴＶやＨＤＤレコーダ、ＰＣとして動作する為の機能を実現するものであるが、放送ストリームの視聴、録画および再生、放送や録画番組のコンテンツ情報の管理、外部からの操作が可能であればこの構成に限定されるものではない。続いて、図１に戻って、一覧表示部１００について説明する。
【００４２】
一覧表示処理部１００は、録画番組情報を一覧形式で表示部２０９に表示する。また、一覧表示処理部１００は、一覧形式で表示した録画番組情報を、所定のキーでフィルタおよびソートして表示部２０９に表示する。録画番組のフィルタおよびソートに用いるキーとしては、図２に示したような録画番組情報に含まれる各項目を用いる場合と、番組推薦計算により導き出された推薦度と、推薦理由を含む推薦結果情報とが挙げられる。
【００４３】
番組情報処理部１５１は、リモコン２１０を介してユーザから録画番組情報の各項目をキーとして一覧形式で表示部２０９に表示させる指示、各項目でフィルタリングやソートする旨の指示を受けると、図２に示した録画番組情報に含まれる各項目をキーとして番組の一覧を表示する。
【００４４】
推薦度処理部１５２は、リモコン２１０を介してユーザから推薦結果情報に含まれる推薦度をキーとして一覧形式で表示部２０９に表示させる指示を受けると、図６に示した推薦結果情報に含まれる推薦度をキーとして番組の一覧を表示する。
【００４５】
推薦理由処理部１５３は、リモコン２１０を介してユーザから推薦結果情報に含まれる推薦理由をキーとして一覧形式で表示部２０９に表示させる指示を受けると、図６に示した推薦結果情報に含まれる推薦理由をキーとして番組の一覧を表示する。
【００４６】
これらの各処理部のいずれかの条件で録画番組情報が表示された場合であっても、他の処理部によってさらにフィルタリングやソートを行うことができる。例えば、推薦度処理部１５２が推薦度で録画番組情報をフィルタリングした場合であっても、推薦理由処理部１５３は、さらに推薦理由によって録画番組情報をフィルタリングすることができる。
【００４７】
図７は、一覧表示処理部１００が、表示部２０９に録画番組情報を一覧形式で表示する様子を示す図である。図７に示す例では、一覧表示処理部１００は、録画番組情報の表示方法を示すグループと、そのグループによって分類された録画番組情報の各項目をフォルダによって細分化して表示させるための階層（第一階層〜第三階層、一覧表示階層の４つの階層）とによって録画番組情報を一覧形式で表示する。例えば、一覧表示処理部１００は、録画番組情報を仮想的に分類せずに表示部２０９に表示する場合（グループ１）、録画番組情報のある項目（図７に示す例では「ジャンル」）に設定されている値に分類して録画番組情報を表示部２０９に表示させる場合（グループ２）、自動録画装置２００が推薦結果情報を参照して自動的に番組を録画した際の録画番組情報を表示部２０９に表示させる場合（グループ３）に分けて表示している。なお、グループ２として表示される録画番組情報については、「ジャンル」だけでなく、「放送波」、「チャンネル」、「放送日」、「放送時間」、「タイトル」、「出演者」、「パレンタルロック」の有無等によって分類することも可能である。
【００４８】
そして、一覧表示処理部１００は、第一階層では、「全て」、「ジャンル」、「自動録画」のそれぞれを、グループ１〜グループ３として分類して表示し、ユーザからリモコン２１０を介してフォルダが選択されると、そのフォルダのフィルタ条件に従って録画番組一覧のフィルタ処理を行う。例えば、第一階層において「ジャンル」が選択された場合には、一覧表示処理部１００は、第二階層において「ドラマ」、「音楽」、「バラエティ」、「サッカー」、「野球」の中からさらに選択されたフォルダ（およびその下位階層のフォルダ）が表示されるようにフィルタリングする。これと同様に、さらに第二階層でフォルダが選択された場合には、一覧表示処理部１００は、そのフォルダおよびその下位階層の番組一覧が表示されるようにフィルタリングする。なお、「全て」フォルダは、自動録画した番組を除く録画番組において、録画番組一覧のフィルタを行わずに表示するためのフォルダである。「ジャンル」フォルダは、自動録画した番組を除く録画番組一覧に対して、各ジャンルごとにフィルタ処理するためのフォルダである。
【００４９】
また、「自動録画」フォルダは録画番組一覧に対して自動録画された録画番組のみを対象として録画番組一覧をフィルタ処理するためのフォルダであり、図６に示した推薦結果情報が有する内容が表示される。
【００５０】
具体的には、一覧表示処理部１００は、図６に示した推薦結果情報を取得し、ユーザからリモコン２１０を介して「自動録画」フォルダが選択された場合、第二階層のフォルダとして、推薦結果情報の「推薦度」（Ｃ５０３）および「推薦理由」（Ｃ５０４）をフォルダ形式で表示する。さらに、一覧表示処理部１００は、第二階層の「推薦度」フォルダが選択された場合には、具体的な推薦度の評価（無星〜三つ星）を示す評価フォルダを表示し、これらの評価フォルダが選択された場合には、その評価の番組のタイトル（Ｃ５０１）を表示する。一方、一覧表示処理部１００は、ユーザからリモコン２１０を介して「自動録画」フォルダが選択され、第二階層の「推薦理由」フォルダが選択された場合には、具体的な推薦理由を示す推薦理由フォルダを表示し、これらの推薦理由フォルダが選択された場合には、その理由で推薦された番組のタイトル（Ｃ５０１）を表示する。
【００５１】
なお、パレンタルロックは、一覧表示処理部１００が、表示部２０９に録画番組情報を一覧形式で表示する際に、その番組を表示させるか否かについて設定するものである。番組のパレンタルロックの値があらかじめ「要」（表示部２０９に表示させない旨）に設定されている場合、一覧表示処理部１００は、録画番組情報を一覧形式で表示させる場合、その番組をフィルタリングし、表示部２０９に表示させないように制御する。続いて、自動録画装置２００において録画番組情報が一覧形式で表示される場合の処理（一覧表示処理）について説明する。
【００５２】
図８は、一覧表示処理の処理手順を示すフローチャートである。以下では、図７に示したような録画番組情報の一覧を表示部２０９に表示させる場合について説明する。
【００５３】
図８に示すように、一覧表示処理では、まず、標準入出力部２０７が、リモコン２１０を介してユーザからの録画番組情報の一覧を表示させるための指示を受け付けると（ステップＳ８０１）、一覧表示処理部１００は、録画番組管理部２１１から録画番組情報を取得し、録画番組情報の一覧を表示部２０９に表示する（ステップＳ８０２）。
【００５４】
例えば、一覧表示処理部１００は、図７に示したような録画番組情報の一覧を表示する。録画番組情報の一覧では、録画番組が仮想的にフォルダによって階層化され、ユーザがリモコン２１０を操作して表示されているフォルダを選択し、標準入出力部２０７がその指示を受け付けると、表示処理部１００の番組情報処理部１５１は録画番組情報の一覧に対してフィルタリングした結果を表示する。図７に示した例では、第一階層から第三階層までのフォルダ構成とし、フィルタした結果となる録画番組一覧を表示する層を最下位の一覧表示層としているが、フォルダの階層は必要に応じて何層としても良い。
【００５５】
そして、ユーザによってリモコン２１０を介して表示されているフォルダのうちの自動録画フォルダが選択され、標準入出力部２０７がその指示を受け付けると、一覧表示処理部１００は、録画番組管理部２１１からその時点の推薦結果情報を取得し、取得した推薦結果情報を、図７に示したように表示部２０９に表示する（ステップＳ８０３）。例えば、一覧表示処理部１００は、図６に示した推薦結果情報の推薦度Ｃ５０３および推薦理由Ｃ５０４を取得し、図７に示した録画番組情報の一覧の第二階層および第三階層にそれぞれ表示する。
【００５６】
その後、表示された推薦結果情報のうち、ユーザからリモコン２１０を介して第二階層の「推薦度」または「推薦理由」のいずれかが選択され、さらに第三階層の具体的な推薦度の値または具体的な推薦理由が選択されると、推薦度処理部１５２または推薦理由処理部１５３は、選択された第三階層の値や推薦理由をキーとしてフィルタリングした上で、例えば、星の数の多い順、五十音順などの方法でソートし（ステップＳ８０４）、それぞれの下位階層である一覧表示層を表示する（ステップＳ８０５）。
【００５７】
例えば、推薦度処理部１５２は、第二階層において「推薦度」が選択されると、第三階層において推薦度の具体的な値（無星〜三つ星）を表示し、さらに推薦度の具体的な値が選択されると、選択された推薦度に対応する録画番組をフィルタリングして第四階層に表示させる。また、例えば、推薦理由処理部１５３は、第二階層において「推薦理由」が選択されると、第三階層において推薦理由の具体的な値（よく見るチャンネル、よく見るチャンネル等）を表示し、さらに推薦理由の具体的な値が選択されると、選択された推薦理由に対応する録画番組のタイトルをフィルタリングして第四階層に表示させる。このステップＳ８０５の処理が終了すると、図８に示した一覧表示処理が終了する。
【００５８】
このように、自動録画装置２００が図８に示した一覧表示処理を行うので、ユーザはその時々で効率良く録画番組から見たい番組を見つけることが可能となる。具体的には、ユーザは番組推薦の推薦度や推薦理由にしたがって、再生する録画番組を効率良く選択することが可能となる。例えば、推薦度を高い順に星の数（「☆☆☆」「☆☆」「☆」）で表現する場合において、一覧表示処理部１０が録画番組一覧を表示する時に、ユーザからリモコン２１０を介して三つ星の推薦度（「☆☆☆」）が選択された場合には、そのフォルダの番組のみを表示部２０９に表示するので、よりユーザの嗜好に合致した番組のみを表示させることができ、ユーザが興味ある番組のみを素早く表示することができる。
【００５９】
図９は、自動録画装置２００が一覧表示処理を行い、録画番組情報の一覧を表示部２０９に表示されるまでの概念を示すイメージ図である。図９に示すように、まず、自動録画装置２００は、将来番組情報を受信すると、ユーザからのリモコン２１０を介した録画操作によって、録画対象となる番組を録画番組情報として抽出し、実データである動画データに対応付けて記憶する一方、視聴や録画された番組の履歴情報を記憶する。
【００６０】
そして、自動録画装置２００は、記憶した履歴情報、将来番組情報、重み付け情報を用いて上述した番組推薦計算を実行し、評価値算出表および推薦結果情報を出力する。さらに、自動録画装置２００は、次のタイミングで将来番組情報を受信すると、その将来番組情報と推薦結果情報を対応付け、上述した録画番組一覧を表示部２０９に表示し、その中で選択された番組を録画番組情報として抽出し、推薦結果情報および実データである動画データに対応付けて記憶する。一方、自動録画象値２００は、視聴や録画された番組の履歴情報を記憶する。このような一連の流れの手順を定期的に行うことにより、よりユーザの嗜好に合致した番組のみを素早く表示することができるようになる。
【実施例２】
【００６１】
実施例１においては、自動録画装置２００の一覧表示処理部１００は、自動録画された番組（グループ３）を対象として、推薦度および推薦理由の各フォルダを生成し、フィルタリング／ソート処理を行うこととした。しかし、ユーザによっては自動録画された番組以外の番組についても推薦度や推薦理由の各フォルダを生成して表示することを望む場合も存在する。そこで、本実施例では、自動録画された番組を含む全ての番組について、推薦度および推薦理由の各フォルダを生成し、フィルタリング／ソート処理を行う場合について説明する。
【００６２】
本実施例において、番組推薦処理部２１４は、図３に示した履歴情報として記憶されている全ての番組を対象に、図２Ｂに示した将来番組情報と、履歴情報と、図４に示した重み付け情報とを用いて、実施例１と同様に番組推薦計算を実行する。実施例１の場合では将来番組情報と履歴情報との間で同じジャンルの番組がある場合には評価値を乗算して設定したが、実施例２では全ての履歴情報に含まれる番組が録画番組として一覧表示されるため、番組推薦処理部２１４は、評価値をそのまま使用して番組ごとの評価値を算出し、推薦結果情報を出力する。
【００６３】
図１０は、実施例２における推薦結果情報の例を示す図である。図１０に示すように、実施例２における推薦結果情報は、履歴情報に含まれる全ての番組（Ｒ６０１〜Ｒ６０８）について、推薦度および推薦理由が設定されている。推薦結果情報が出力され、その後、標準入出力部２０７が、リモコン２１０を介してユーザからの録画番組情報の一覧を表示させるための指示を受け付けると、一覧表示処理部１００は、録画番組管理部２１１から録画番組情報を取得するとともに、番組推薦処理部２１４が出力した推薦結果情報を取得して録画番組情報の一覧を表示部２０９に表示する。
【００６４】
図１１は、実施例２において、一覧表示処理部１００が、表示部２０９に録画番組情報を一覧形式で表示する様子を示す図である。図１１に示すように、実施例２では、一覧表示処理部１００は、履歴情報に含まれる全ての番組について録画番組の一覧を表示する。このとき、一覧表示処理部１００は、例えば、第一階層に「推薦度」および「推薦理由」を推薦結果情報から取得して表示部２０９に表示し、さらに第二階層において推薦度の具体的な値（無星〜三つ星）を表示する。そして、推薦度の具体的な値が選択されると、推薦度処理部１５２は、選択された推薦度に対応する録画番組をフィルタリングして第四階層に表示させる。また、一覧表示処理部１００は、例えば、第一階層において「推薦理由」が選択されると、第二階層において推薦理由の具体的な値（よく見るチャンネル、よく見るチャンネル等）を表示する。そして、推薦理由の具体的な値が選択されると、推薦理由処理部１５３は、選択された推薦理由に対応する録画番組のタイトルをフィルタリングして第四階層に表示させる。本実施例では履歴情報に含まれる全ての番組を対象としているため、タイトルに加えてサブタイトルについても表示させる。
【００６５】
このように、一覧表示処理部１００は、自動録画されたか否かにかかわらず履歴情報に記憶されている全ての番組を対象に、推薦度、推薦理由によるフォルダ表示およびフィルタ処理による録画番組一覧を表示させることができる。なお、フィルタリングやソートの方法については、実施例１の場合と同様に、様々な項目でフィルタリングまたはソートすることも可能である。
【実施例３】
【００６６】
実施例１および実施例２においては、一覧表示処理部１００は、階層化されたフォルダ表示により録画番組一覧の表示やフィルタリング、ソートを行っていたが、ユーザによっては、全体的に階層化して番組を表示するよりも、もっと直接的に見たい番組を選択したいというニーズも存在する。そこで、本実施例では、将来番組情報または履歴情報に含まれる「ジャンル」、および推薦結果情報に含まれる「推薦度」、「推薦理由」ごとに番組名を表示（一括表示）させることにより、より直接的に番組を選択する場合について説明する。
【００６７】
図１２は、実施例３において、一覧表示処理部１００が、表示部２０９に録画番組情報を一覧形式で表示する様子を示す図である。図１２に示すように、一覧表示処理部１００は、録画番組情報を表示する場合、将来番組情報または履歴情報に含まれる「ジャンル」、「タイトル」、「サブタイトル」項目を抽出するととともに、推薦結果情報に含まれる「推薦度」、「推薦理由」を抽出し、これらの「ジャンル」、「推薦度」、「推薦理由」ごとに番組名として「タイトル」、「サブタイトル」を表示させる。この場合、推薦度処理部１５２は、推薦度の星の数によってソートし、また、推薦理由処理部１５３は、推薦理由の具体的な内容によってソートする。例えば、ユーザがリモコン２１０を介して推薦度の列を選択すると、一覧表示処理部１００の推薦度処理部１５２は、星の数の多い順にソートする。また、ユーザがリモコン２１０を介して推薦理由の列を選択すると、一覧表示処理部１００の推薦理由処理部１５３は、五十音順にソートする。
【００６８】
なお、本実施例では、「推薦度」および「推薦理由」をこの順序でソートする場合について説明したが、これらの各項目1つずつ、あるいは順序を入れ替えてソートすることももちろん可能である。この場合、多様化するユーザのニーズにより的確に応えることができる。
【００６９】
本実施例では録画番組の一括表示時においてソート表示する構成としたが、実施例１や実施例２に示すような「自動録画」フォルダや「ジャンル」フォルダを設け、一覧表示処理部１００は、ユーザが選択したフォルダに従って録画番組一覧をフィルタ処理し、フィルタ処理した上で、番組を一括表示させることも可能である。
【実施例４】
【００７０】
実施例３では、一覧表示処理部１００は、将来番組情報または履歴情報に含まれる「ジャンル」、および推薦結果情報に含まれる「推薦度」、「推薦理由」ごとに番組名を表示（一括表示）させることとしたが、ユーザによっては、より分かりやすい形でフィルタリングの条件を指定したい場合も存在する。そこで、本実施例では、録画番組一覧とは別の位置に推薦度によってフィルタリングするための推薦度フィルタ項目を設け、ユーザにとってより分かりやすい形でフィルタリングの条件を指定することにより、より視覚的に分かりやすく録画番組一覧をフィルタリングする場合について説明する。
【００７１】
図１３は、実施例４において、一覧表示処理部１００が、表示部２０９に録画番組情報を一覧形式で表示する様子を示す図である。図１３に示すように、一覧表示処理部１００は、録画番組情報を表示する場合、将来番組情報または履歴情報に含まれる「ジャンル」、「タイトル」、「サブタイトル」項目を抽出するととともに、推薦結果情報に含まれる「推薦度」、「推薦理由」を抽出し、これらの「ジャンル」、「推薦度」、「推薦理由」ごとに番組名として「タイトル」、「サブタイトル」を表示させる。この場合、一覧表示処理部１００は、「推薦度」については他の項目とは画面上の別の位置に表示させる。そして、推薦度処理部１５２は、その別の位置に表示された推薦度の星の数が選択されると、その星の数の番組のみをフィルタリングして表示する。図１３では、二つ星および三つ星の番組のみが表示されている場合を示している。
【００７２】
なお、本実施例では、「推薦度」によって表示する番組をフィルタリングする場合について説明したが、「推薦理由」によってフィルタリングしたり、あるいはこれらの項目を組み合わせてフィルタリングすることももちろん可能である。この場合、実施例３の場合と同様に、多様化するユーザのニーズにより的確に応えることができる。
【００７３】
本実施例では録画番組の一括表示時においてソート表示する構成としたが、実施例３の場合と同様に、実施例１や実施例２に示すような「自動録画」フォルダや「ジャンル」フォルダを設け、一覧表示処理部１００は、ユーザが選択したフォルダに従って録画番組一覧をフィルタ処理し、フィルタ処理した上で、番組を一括表示させることも可能である。
【００７４】
なお、実施例１〜実施例４では、放送される番組を録画する場合に、録画対象となる番組をフィルタリングしたり、あるいはソートして録画番組の一覧を表示する場合について説明したが、推薦度および推薦理由の設定が可能なものであれば特にこれに限定されることはない。例えば、放送される番組に代えて、ブラウザ等で視聴可能なネット動画、インターネットのウェブサイト、インターネットショッピング、ソフトウェアアプリケーションなどのコンテンツにおいて、図３に示したような履歴情報と同様のユーザの利用履歴を蓄積し、その利用履歴、図２Ｂに示したようなに将来番組情報と同様の動画番組情報、サイト情報、ショッピング情報、アプリケーション情報、図４に示した重み付け情報と同様の情報を用いて推薦度や推薦理由を含む推薦結果情報を出力することができるものであれば、実施例１〜実施例４に示した自動録画装置と同様に適用することができる。
【００７５】
さらに、実施例１〜実施例４では、一覧表示処理部１００が録画番組の一覧を表示する場合、自動録画装置２００が有する表示部２０９に表示させることとしたが、例えば、ネットワークを介して接続された自動録画装置２００とは異なるディスプレイ等の表示装置に、実施例１〜実施例４で表示した情報と同様の情報を表示させることも可能である。同様に、推薦度、推薦理由によるフィルタリング、ソートを行う場合においても、自動録画装置２００以外の装置でフィルタリング、ソートを行い、その結果を自動録画装置２００に表示させ、あるいはネットワークを介して接続された自動録画装置２００とは異なる表示装置に表示させることとしてもよい。この場合、自動録画装置２００はフィルタリング、ソートの条件を、フィルタリング、ソートを司る装置に依頼し、その結果を取得して表示させることとなる。
【符号の説明】
【００７６】
２００            自動録画装置
１００            一覧表示処理部
１５１            番組情報処理部
１５２            推薦度処理部
１５３            推薦理由処理部
２０１            ＣＰＵ
２０２            メモリ
２０３            ＨＤＤ
２０４            ネットワーク接続部
２０６            チューナ部
２０５            アンテナ部
２０７            標準入出力部
２０８            デコーダ部
２０９            表示部
２１０            リモコン
２１１            録画番組管理部
２１２            番組情報管理部
２１３            履歴管理部
２１４            番組推薦計算部
２５０            バス
２５１            ネットワーク。
【図１】
2013229655.tif 000003
【図２Ａ】
2013229655.tif 000004
【図２Ｂ】
2013229655.tif 000005
【図３】
2013229655.tif 000006
【図４】
2013229655.tif 000007
【図５】
2013229655.tif 000008
【図６】
2013229655.tif 000009
【図７】
2013229655.tif 000010
【図８】
2013229655.tif 000011
【図９】
2013229655.tif 000012
【図１０】
2013229655.tif 000013
【図１１】
2013229655.tif 000014
【図１２】
2013229655.tif 000015
【図１３】
2013229655.tif 000016